(57)【要約】【課題】集塵気流による集塵性能を維持しつつ、塵埃が、非堆積領域に侵入し堆積することを防ぐことができる室内用集塵装置を提供する。【解決手段】室内１５全体に集塵気流８を発生させ浮遊塵埃を回収する集塵部４と、気流が無ければ塵埃が落下しない非堆積領域７の周囲に配置され遮断気流１０Ａ、１０Ｂを発生させることで前記非堆積領域７への浮遊塵埃の侵入を防ぐエアーカーテン部５Ａ、５Ｂを備え、前記エアーカーテン部５Ａ、５Ｂは、前記遮断気流１０Ａ、１０Ｂを前記集塵気流８が乱されない方向へと流すようにしたもので、集塵気流８による浮遊塵埃９の集塵性能を維持しつつ非堆積領域７への塵埃の侵入を防ぐことができる。【選択図】図１
2011024846.tif 000002
【特許請求の範囲】
【請求項１】
室内全体に集塵気流を発生させ浮遊塵埃を回収する集塵部と、気流が無ければ塵埃が落下しない非堆積領域の周囲に配置され遮断気流を発生させることで前記非堆積領域への浮遊塵埃の侵入を防ぐエアーカーテン部を備え、前記エアーカーテン部は、前記遮断気流を前記集塵気流が乱されない方向へと流すようにした室内用集塵装置。
【請求項２】
エアーカーテン部は、遮断気流を集塵部へ向けないようにした請求項１に記載の室内用集塵装置。
【請求項３】
エアーカーテン部は、遮断気流を壁面または床面に向けて吹出すようにした請求項１又は２に記載の室内用集塵装置。
【請求項４】
エアーカーテン部は、遮断気流を吹き出す吹出し部と、前記吹出し部から吹き出された遮断気流を吸引する吸引部とで構成し、前記吹出し部は、集塵気流の影響による遮断気流の変化を予測し、変化後の遮断気流が前記吸引部に向かうように、風速および風向を変化させるようにした請求項１〜３のいずれか１項に記載の室内用集塵装置。
【請求項５】
エアーカーテン部は、遮断気流を吹き出す吹出し部と、前記吹出し部から吹き出された遮断気流を吸引する吸引部とで構成し、前記吸引部は、集塵気流の影響による遮断気流の変化を予測し、変化後の遮断気流が前記吸引部に到達する際の風速および風向に合わせて吸引の強さ及び方向を変化させるようにした請求項１〜３のいずれか１項に記載の室内用集塵装置。
【請求項６】
エアーカーテン部は、非堆積領域の開口部の長辺側に設置されると共に、前記開口部の短辺方向に向けて遮断気流を流すようにした請求項１に記載の室内用集塵装置。
【発明の詳細な説明】
【技術分野】
【０００１】
本発明は、室内に気流を発生させると共に、塵埃を集塵する室内用集塵装置に関するものである。
【背景技術】
【０００２】
従来、この種の室内用集塵装置としては、室内に気流を発生させると共に塵埃を集める集塵部を備え、前記気流を変化させることで塵埃をより確実に回収しているものがあった（例えば、特許文献１参照）。
【０００３】
図４は、前記特許文献１に記載された従来の室内用集塵装置が設置された室内の平面図を示すものである。
【０００４】
図４において、従来の室内用集塵装置は、集塵部１と気流計測装置２によって構成されている。集塵部１は、集塵のための気流を発生させると共に浮遊塵埃を捕集するものである。気流計測装置２は、集塵部１によって発生した気流が検知できるかによって気流計測装置２の周囲の浮遊塵埃３が集塵出来るかどうかを判断する。また気流計測装置２は、室内を自由に持ち運ぶことが可能に構成されている。この気流計測装置２の判断に基づいて集塵部１は、動作を変化させ、気流計測装置２の周囲の浮遊塵埃３を確実に集塵し空気を清浄する。
【先行技術文献】
【特許文献】
【０００５】
【特許文献１】特開平１１−１９３９４４号公報
【発明の概要】
【発明が解決しようとする課題】
【０００６】
しかしながら、前記特許文献１に記載されたような従来の室内用集塵装置の構成では、集塵のため室内の全体に集塵気流を発生させることで室内に存在する塵埃の総量を減らすことはできるが、例えば、家具の内部や家具の下など上方から見て影になり、気流が無ければ塵埃が落下しない非堆積領域に、前記気流によって新たに塵埃が侵入してしまい、従来塵埃が堆積しなかった非堆積領域に塵埃が堆積してしまうという課題を有していた。
【０００７】
また前記従来の室内用集塵装置では、室内に集塵気流とは別に、例えば非堆積領域への塵埃の侵入を防ぐ遮断気流などを発生させるエアーカーテン部が存在した場合に、互いの気流が影響しあって集塵が効率よく行えず、また非堆積領域への塵埃の侵入を防ぐことができないという課題を有していた。
【０００８】
本発明は、上記従来の課題を解決するもので、集塵気流による集塵性能を維持しつつ、塵埃が、非堆積領域に侵入し堆積することを防ぐことができる室内用集塵装置を提供することを目的とする。
【課題を解決するための手段】
【０００９】
前記従来の課題を解決するために、本発明の室内用集塵装置は、室内全体に集塵気流を発生させ浮遊塵埃を回収する集塵部と、気流が無ければ塵埃が落下しない非堆積領域の周囲に配置され遮断気流を発生させることで前記非堆積領域への浮遊塵埃の侵入を防ぐエアーカーテン部を備え、前記エアーカーテン部は、前記遮断気流を前記集塵気流が乱されない方向へと流すようにしたもので、集塵気流による浮遊塵埃の集塵性能を維持しつつ非堆
積領域への塵埃の侵入を防ぐことができる。
【発明の効果】
【００１０】
本発明の室内用集塵装置は、集塵気流による集塵性能を維持しつつ非堆積領域へと塵埃が侵入することを防ぐことができるため、室内全体の浮遊塵埃を効率よく回収しつつ非堆積領域も確実に清潔に保つことができる。
【図面の簡単な説明】
【００１１】
【図１】本発明の実施の形態１における室内用集塵装置が設置された室内の斜視図
【図２】同室内用集塵装置が設置された室内の床面付近の気流を示す概略図
【図３】本発明の実施の形態２における室内用集塵装置が設置された室内の床面付近の気流を示す概略図
【図４】従来の室内用集塵装置が設置された室内の平面図
【発明を実施するための形態】
【００１２】
第１の発明は、室内全体に集塵気流を発生させ浮遊塵埃を回収する集塵部と、気流が無ければ塵埃が落下しない非堆積領域の周囲に配置され遮断気流を発生させることで前記非堆積領域への浮遊塵埃の侵入を防ぐエアーカーテン部を備え、前記エアーカーテン部は、前記遮断気流を前記集塵気流が乱されない方向へと流すようにしたもので、集塵気流による浮遊塵埃の集塵性能を維持しつつ非堆積領域への塵埃の侵入を防ぐことができる。
【００１３】
第２の発明は、特に、第１の発明のエアーカーテン部は、遮断気流を集塵部へ向けないようにしたもので、集塵気流の中でも最も重要な集塵部へと浮遊塵埃が回収される個所を乱すことが確実に無くなるため集塵性能を保つことができる。
【００１４】
第３の発明は、特に、第１又は第２の発明のエアーカーテン部は、遮断気流を壁面または床面に向けて吹出すようにしたもので、遮断気流は壁面または床面との衝突により風速を失って壁面または床面の周囲に拡散する。これに対して集塵気流は部屋全体の中でも主に壁面または床面から離れた部屋中央の広い空間を流れるため遮断気流は集塵気流を乱さない。
【００１５】
第４の発明は、特に、第１〜３のいずれか一つの発明のエアーカーテン部は、遮断気流を吹き出す吹出し部と、前記吹出し部から吹き出された遮断気流を吸引する吸引部とで構成し、前記吹出し部は、集塵気流の影響による遮断気流の変化を予測し、変化後の遮断気流が前記吸引部に向かうように、風速および風向を変化させるようにしたもので、遮断気流がより確実に吹出し部から吸引部へと流れるため周囲の集塵気流が乱されなくなる。
【００１６】
第５の発明は、特に、第１〜３のいずれか一つの発明のエアーカーテン部は、遮断気流を吹き出す吹出し部と、前記吹出し部から吹き出された遮断気流を吸引する吸引部とで構成し、前記吸引部は、集塵気流の影響による遮断気流の変化を予測し、変化後の遮断気流が前記吸引部に到達する際の風速および風向に合わせて吸引の強さ及び方向を変化させるようにしたもので、遮断気流がより確実に吹出し部から吸引部へと流れるため周囲の集塵気流が乱されなくなる。
【００１７】
第６の発明は、特に、第１の発明のエアーカーテン部は、非堆積領域の開口部の長辺側に設置されると共に、前記開口部の短辺方向に向けて遮断気流を流すようにしたもので、短辺側に配置した場合に比べて浮遊塵埃の侵入を防ぐため遮断気流を到達させなければならない距離が短くなるため遮断気流を弱くすることができ集塵気流を乱さなくなる。
【００１８】
以下、本発明の実施の形態について、図面を参照しながら説明する。なお、本実施の形
態によって本発明が限定されるものではない。
【００１９】
（実施の形態１）
図１は、本発明の実施の形態１における室内用集塵装置が設置された室内の斜視図、図２は、同室内用集塵装置が設置された室内の床面付近の気流を示す概略図を示すものである。
【００２０】
図１において、本実施の形態における室内用集塵装置は、室内に設置された集塵部４と、エアーカーテン部５Ａ、５Ｂから構成されている。また室内には、家具としてベッド６が配置されている。ベッド６の下は、上方から見て影になっており、気流が無ければ塵埃が落下しない非堆積領域７となっている。
【００２１】
集塵部４は、部屋全体から空気を吸引し、再び室内へと送風を行うことで、室内全体に集塵気流８を発生させ、浮遊塵埃９を回収している。
【００２２】
本実施の形態では、２台のエアーカーテン部５Ａ、５Ｂは、ベッド６の周囲に配置されており、しかも、それぞれ別々に動作し、それぞれ遮断気流１０Ａ、１０Ｂを発生させるようになっている。
【００２３】
ベッド６の集塵部４から遠い側面に配置されたエアーカーテン部５Ａは、非堆積領域７の開口部（図示せず）の長辺側に設けられ幅広の形状となっており、床面に向かって遮断気流１０Ａを発生させている。一方ベッド６の集塵部４から近い側面に配置されたエアーカーテン部５Ｂは、開口部の短辺側に設けられており、しかも床面に対して略水平方向に遮断気流１０Ｂを発生させている。またエアーカーテン部５Ｂは、遮断気流１０Ｂを集塵部４とは逆方向の壁面に向かって流している。
【００２４】
図２において、室内にはベッド６が設けられており、ベッド６の下部が非堆積領域７となっている。
【００２５】
また、室内には、集塵部４とエアーカーテン部５Ａ、５Ｂが配置されており、室内の床面付近には、集塵部４へと向かう集塵気流８が発生している。集塵気流８の一部は、ベッド６の下側において、集塵部４から遠い側面でエアーカーテン部５Ａが配置されている辺を上流側とし、集塵部４から近い一辺でエアーカーテン部５Ｂが配置されている辺を下流側として流れている。
【００２６】
以上のように構成された本実施の形態における室内用集塵装置について、以下その動作、作用を説明する。
【００２７】
まず室内用集塵装置が動作されると、集塵部４が、室内全体に集塵気流８を発生させる。それによってベッド６の下の非堆積領域７（網掛け部）には、常に集塵気流８が流れるようになる。集塵気流８に伴って、浮遊塵埃９が非堆積領域７に侵入しようとするが、ここで、本実施の形態では、エアーカーテン部５Ａ、５Ｂが動作される。
【００２８】
エアーカーテン部５Ａは、非堆積領域７の開口部の長辺側から床面に向けて遮断気流１０Ａを発生させる。非堆積領域７の開口部から浮遊塵埃９が侵入するのを防ぐように開口部の長辺側から遮断気流１０Ａを形成し床面まで到達させるのは、開口部の短辺側から遮断気流１０Ａを形成しもう一方の短辺まで到達させる場合に比べ弱い気流でも到達するため容易に遮断気流１０Ａを形成できるからである。
【００２９】
床面に到達した遮断気流１０Ａは、床面との衝突で風速を失って床面の周囲に拡散する
。これに対し、集塵気流８は主に壁面または床面から離れた部屋中央の広い空間を流れるため拡散した遮断気流１０Ａは、集塵気流８にほとんど影響を与えない。
【００３０】
エアーカーテン部５Ｂは、非堆積領域７の開口部短辺側から、集塵部４とは逆方向の壁面に向かって遮断気流１０Ｂを発生させる。エアーカーテン部５Ａと同様に、壁面に到達した遮断気流１０Ｂは壁面との衝突で風速を失って壁面の周囲に拡散する。
【００３１】
これに対し集塵気流８は、主に壁面または床面から離れた部屋中央の広い空間を流れるため拡散した遮断気流１０Ｂは集塵気流８にほとんど影響を与えない。
【００３２】
なお、図とは、逆の短辺側から集塵部４へと送風を行った場合は、遮断気流１０Ｂは集塵部４へと流れる集塵気流８を乱し集塵率を低下させてしまう。またエアーカーテン部５Ａと同様に長辺側から短辺側に送風を行った場合も、遮断気流１０Ｂが衝突し拡散する床面上の位置が集塵部４に近いため、拡散した遮断気流１０Ｂの一部が集塵気流８を乱してしまう。
【００３３】
（実施の形態２）
図３は、本発明の実施の形態２における室内用集塵装置が設置された室内の床面付近の気流を示す概略図である。なお、上記実施の形態１における室内用集塵装置と同一部分には同一符号を付してその説明を省略する。
【００３４】
図３において、室内にはベッド６が設けられており、ベッド６の下部が非堆積領域７となっている。
【００３５】
本実施の形態は、ベッド６の、集塵部４から遠い側面、すなわち非堆積領域７において集塵気流８の上流側に配置されたエアーカーテン部５Ａを、吹出し部１１Ａと吸引部１２Ａで構成し、一方ベッド６の集塵部４から近い側面、すなわち非堆積領域７において集塵気流８の下流側に配置されたエアーカーテン部５Ｂを、吹出し部１１Ｂと吸引部１２Ｂで構成したもので、その他の構成は、上記実施の形態１における室内用集塵装置と同じである。
【００３６】
吹出し部１１Ａ、１１Ｂのそれぞれは、内部に吹出し用送風機（図示せず）を有しており、遮断気流１０Ａ、１０Ｂの風速を変化させることができ、同時にその吹出し口１１Ｃにはルーバー１１Ｄを有し、遮断気流１０の風向を変化させることができる。同様に吸引部１２Ａ、１２Ｂも、内部に吸引用送風機（図示せず）を有しており、それぞれ遮断気流１０Ａ、１０Ｂを吸引し、導く力を変化させることができる。同時にその吸引口１２Ｃにもルーバー１２Ｄをそれぞれ有し、遮断気流１０Ａ、１０Ｂを吸引し導く方向を変化させることができる。
【００３７】
以上のように、上流側に置かれたエアーカーテン部５Ａと下流側におかれたエアーカーテン部５Ｂではそれぞれ異なる遮断気流１０Ａ、１０Ｂを発生させている。
【００３８】
以上のように構成された本実施の形態における室内用集塵装置について、以下その動作、作用を説明する。
【００３９】
まず室内用集塵装置が動作されると、集塵部４が室内全体に集塵気流８を発生させる。それによってベッド６の下の非堆積領域７には常に集塵気流８が流れるようになる。集塵気流８に伴って浮遊塵埃９が非堆積領域７に侵入しようとするため、エアーカーテン部５Ａ、５Ｂが動作される。
【００４０】
エアーカーテン部５Ａは、吹出し部１１Ａから吹き出た遮断気流１０Ａが、吸引部１２Ａへとスムースに流れるよう、吹出し部１１Ａと吸引部１２Ａの動作を変化させる。同様に、エアーカーテン部５Ｂは、吹出し部１１Ｂから吹き出た遮断気流１０が吸引部１２Ｂへとスムースに流れるよう、吹出し部１１Ｂと吸引部１２Ｂの動作を変化させる。
【００４１】
吹出し部１１Ａ、１１Ｂから吹き出た遮断気流１０Ａ、１０Ｂは、ベッド６の下を流れる集塵気流８と影響し、その風向は、集塵気流８の下流側に向けられる。吹出し部１１Ａ、１１Ｂは、例えば集塵部４の動作条件、吹出し部１１Ａ、１１Ｂや吸引部１２Ａ、１２Ｂで計測される周囲の気流等に基づいて、遮断気流１０Ａ、１０Ｂの吹出し風向を変化させる。
【００４２】
これによって遮断気流１０Ａ、１０Ｂは、曲線を描き吸引部１２Ａ、１２Ｂまでより長い距離を流れることになるため、さらに吹出し部１１Ａ、１１Ｂでは吹出しの風速を速める。
【００４３】
遮断気流１０Ａ、１０Ｂが変化するのに伴って、吸引部１２Ａ、１２Ｂにおいても吸引力と吸引方向を変化させる。集塵気流８が無い場合には、遮断気流１０Ａ、１０Ｂのそれぞれは、吹出し部１１Ａ、１１Ｂから真っ直ぐに流れてくるが、遮断気流１０Ａ、１０Ｂは曲線を描きこれまでとは異なる角度で吸引部１２Ａ、１２Ｂへと到達するため、吸引口１２Ｃのルーバー１２Ｄをその角度にあわせ吸引方向を変える。
【００４４】
また吸引部１２Ａ、１２Ｂへ到達する遮断気流１０Ａ、１０Ｂの風速及び風量も吹出し部１１Ａ、１１Ｂの動作変更に伴って変化するため、到達した遮断気流１０Ａ、１０Ｂがそのまま吸引され、吸引しきれない遮断気流１０Ａ、１０Ｂが周囲に流れたり、逆に吸引力を強めすぎて余計に周囲の空気を吸ったりしないよう吸引力を調整する。吸引力の調整は、例えば、吹出し部１１Ａ、１１Ｂの動作条件、吹出し部１１Ａ、１１Ｂや吸引部１２Ａ、１２Ｂで計測される周囲の気流等に基づいて行う。
【００４５】
これらの動作の結果として、非堆積領域７の上流側と下流側では、集塵気流８の強さが異なるため、上流側のエアーカーテン部５Ａと下流側のエアーカーテン部５Ｂでは形成している遮断気流１０Ａ、１０Ｂが異なる。
【００４６】
上記実施の形態における構成は、必要に応じて適宜組み合わせて使用することができるものであり、本発明は、上記実施の形態そのものの構成に限られるものではない。
【産業上の利用可能性】
【００４７】
以上のように、本発明にかかる室内用集塵装置は、集塵気流による集塵性能を維持しつつ非堆積領域へと塵埃が侵入することを防ぐことができるもので、一つの空間に気流を発生させる各種機器に適用できる。
【符号の説明】
【００４８】
４  集塵部
５Ａ、５Ｂ  エアーカーテン部
７  非堆積領域
８  集塵気流
９  浮遊塵埃
１０Ａ、１０Ｂ  遮断気流
１１Ａ、１１Ｂ  吹出し部
１２Ａ、１２Ｂ  吸引部
１５  室内
【図１】
2011024846.tif 000003
【図２】
2011024846.tif 000004
【図３】
2011024846.tif 000005
【図４】
2011024846.tif 000006